(57)【要約】【課題】表示装置の前面側と背面側との間におけるユーザの移動が自由にでき、ユーザの利便性を向上させると共に、該表示装置の設置における自由度を高めることができる表示装置を提供する。【解決手段】複数のディスプレイ２２によって構成される表示面を前面に有し、該表示面に画像を表示するマルチディスプレイ装置において、該複数のディスプレイ２２が扉ディスプレイ２２Ａを少なくとも１つ含み、扉ディスプレイ２２Ａが移動された場合、マルチディスプレイ装置の前面側と背面側とを連絡する連絡口２４が形成される。【選択図】図６
2013186343.tif 000002
【特許請求の範囲】
【請求項１】
複数の表示器によって構成される表示面を前面に有し、該表示面に画像を表示する表示装置において、
移動によって、前面側と背面側とを連絡する連絡口を形成する移動可能な表示器を少なくとも１つを含むことを特徴とする表示装置。
【請求項２】
前記移動可能な表示器が前記複数の表示器の中で何れかを表す情報を表示する情報表示手段を備えることを特徴とする請求項１に記載の表示装置。
【請求項３】
各表示器を駆動する電源をオンオフする電源制御手段を備えており、
前記連結口が形成された場合、前記電源制御手段は前記移動可能な表示器の電源をオフにするように構成されていることを特徴とする請求項１又は２に記載の表示装置。
【請求項４】
前記移動可能な表示器に対する移動指示を受け付ける指示受付手段を備え、
該指示受付手段が前記移動指示を受け付けた場合、前記移動可能な表示器が移動されるように構成されていることを特徴とする請求項１から３の何れかに記載の表示装置。
【請求項５】
前記移動可能な表示器は複数であり、
移動すべき表示器の選択を受け付ける選択受付手段を備えることを特徴とする請求項１から４の何れかに記載の表示装置。
【発明の詳細な説明】
【技術分野】
【０００１】
本発明は、複数の表示器によって構成される表示面を前面に有し、該表示面に画像を表示する表示装置に関する。
【背景技術】
【０００２】
最近、複数の表示器を縦横方向に並設することにより、全体で大画面を構成して、１つの画像を大きく表示し、又は個々の表示器に夫々異なる画像を表示できるいわゆるマルチディスプレイ装置が知られている。
【０００３】
特許文献１には、マルチディスプレイシステムにおいて、隣り合う表示装置の連結部分を可動式とすることにより、各表示装置が個別に回転でき、該表示装置からの出力情報（画像）を、ユーザが任意の方向からも視認できる支持機構システムが開示されている。
【０００４】
特許文献２には、画面に画像を表示するディスプレイがスライド可能である上に、装置自体の回転が可能であるように構成し、ユーザの利便性を向上させるマルチディスプレイシステムが開示されている。
【先行技術文献】
【特許文献】
【０００５】
【特許文献１】特開２００７−２１９１９４号公報
【特許文献２】特開２００７−１６３９１２号公報
【発明の概要】
【発明が解決しようとする課題】
【０００６】
一方、上述したマルチディスプレイ装置においては、該マルチディスプレイ装置の前面側と背面側とを連絡する通路の確保という問題が生じていた。
【０００７】
例えば、ショーウィンドウの全面を占める範囲にマルチディスプレイ装置を設置する場合、該マルチディスプレイ装置の前面側での作業のために、作業者の通路を別途確保する必要があり、その結果、装置の設置における自由度が制限されていた。
【０００８】
また、このような場合において、該マルチディスプレイ装置と壁との側面との間に必要最低限の通路を確保したとしても、このような通路は狭小で通りにくい場合が多いので、作業者の作業性が低下する。
【０００９】
しかしながら、上述した特許文献１の支持構成システム及び特許文献２の表示装置ではこのような問題に対して工夫されておらず、解決できない。
【００１０】
本発明は、斯かる事情に鑑みてなされたものであり、その目的とするところは、複数の表示器によって構成される表示面を前面に有し、該表示面に画像を表示する表示装置において、該複数の表示器が移動可能な表示器を少なくとも１つ含み、該移動可能な表示器が移動された場合、その前面側と背面側とを連絡する連絡口が形成される構成とすることにより、当該表示装置の前面側と背面側との間におけるユーザの移動が自由となり、ユーザの利便性を向上させると共に、その設置における自由度を高めることができる表示装置を提供することにある。
【課題を解決するための手段】
【００１１】
本発明に係る表示装置は、複数の表示器によって構成される表示面を前面に有し、該表示面に画像を表示する表示装置において、移動によって、前面側と背面側とを連絡する連絡口を形成する移動可能な表示器を少なくとも１つを含むことを特徴とする。
【００１２】
本発明にあっては、前記複数の表示器には移動可能な表示器が少なくとも１つ含まれており、該移動可能な表示器の移動によって、当該表示装置の前面側と背面側とを連絡する連絡口が形成され、前面側と背面側との間におけるユーザの移動が可能となる。
【００１３】
本発明に係る表示装置は、前記移動可能な表示器が前記複数の表示器の中で何れかを表す情報を表示する情報表示手段を備えることを特徴とする。
【００１４】
本発明にあっては、前記情報表示手段が、前記移動可能な表示器が前記複数の表示器の中で何れかを表す情報を表示して、例えばユーザに該移動可能な表示器の位置を知らせる。
【００１５】
本発明に係る表示装置は、各表示器を駆動する電源をオンオフする電源制御手段を備えており、前記連結口が形成された場合、前記電源制御手段は前記移動可能な表示器の電源をオフにするように構成されていることを特徴とする。
【００１６】
本発明にあっては、前記移動可能な表示器の移動によって、当該表示装置の前面側と背面側とを連絡する連絡口が形成された場合、前記電源制御手段は前記移動可能な表示器の電源をオフにする。
【００１７】
本発明に係る表示装置は、前記移動可能な表示器に対する移動指示を受け付ける指示受付手段を備え、該指示受付手段が前記移動指示を受け付けた場合、前記移動可能な表示器が移動されるように構成されていることを特徴とする。
【００１８】
本発明にあっては、前記指示受付手段が前記移動指示を受け付けた場合、前記移動可能な表示器が移動されて、当該表示装置の前面側と背面側とを連絡する連絡口が形成される。
【００１９】
本発明に係る表示装置は、前記移動可能な表示器は複数であり、移動すべき表示器の選択を受け付ける選択受付手段を備えることを特徴とする。
【００２０】
本発明にあっては、前記移動可能な表示器が複数である場合においては、前記選択受付手段によって受け付けられた選択に係る移動可能な表示器が移動し、該移動可能な表示器の移動によって、当該表示装置の前面側と背面側とを連絡する連絡口が形成される。
【発明の効果】
【００２１】
本発明によれば、前記移動可能な表示器が移動された場合、表示装置の前面側と背面側とを連絡する連絡口が形成されるので、該表示装置の前面側と背面側との間におけるユーザの移動が自由にでき、ユーザの作業上の利便性が向上されると共に、表示装置の設置において、前面側又は背面側への連絡口を別途確保する必要がなく、その設置における自由度を高めることができる。
【図面の簡単な説明】
【００２２】
【図１】本発明の実施の形態に係るマルチディスプレイ装置の要部構成を示す機能ブロック図である。
【図２】本発明の実施の形態のマルチディスプレイ装置における、ディスプレイ部を概略的に示す概略図である。
【図３】本発明の実施の形態のマルチディスプレイ装置における、制御部の要部構成を示す機能ブロック図である。
【図４】本発明の実施の形態のマルチディスプレイ装置において、ディスプレイに表示されるユーザメニュ画面の一例を示す例示図である。
【図５】本発明の実施の形態のマルチディスプレイ装置において、把手の役割をなすソフトキーを扉ディスプレイに表示した例を示す例示図である。
【図６】本発明の実施の形態のマルチディスプレイ装置において、扉ディスプレイが開けられた状態を示す例示図である。
【発明を実施するための形態】
【００２３】
以下に、本発明の実施の形態に係る表示装置を、いわゆるタッチパネルの機能を有するマルチディスプレイ装置に適用した場合を例として、図面に基づいて詳述する。
【００２４】
図１は本発明の実施の形態に係るマルチディスプレイ装置１００の要部構成を示す機能ブロック図である。マルチディスプレイ装置１００は、店舗又は公共スペース等に設置され、施設の案内、展示物の説明、ニュース又は広告等の各種の情報を表す画像を表示する情報ディスプレイである。
【００２５】
マルチディスプレイ装置１００は、制御部１０と、タッチパネル２１を有するディスプレイ部２０と、接続部３０と、入力部４０と、スケーリング部５０と、表示割当部６０と、記憶部７０とを備えている。
【００２６】
図２は本発明の実施の形態のマルチディスプレイ装置１００における、ディスプレイ部２０を概略的に示す概略図である。ディスプレイ部２０は複数のディスプレイ２２（表示器）を有している。
【００２７】
詳しくは、ディスプレイ部２０は、格子状の枠体２３と、枠体２３の各マスに夫々取り付けられた複数のディスプレイ２２，２２，…とを有している。ディスプレイ部２０は、複数のディスプレイ２２，２２，…を縦横に並べて構成されてあり、複数のディスプレイ２２，２２，…が組み合わさることにより矩形の巨大なディスプレイ（表示面）がマルチディスプレイ装置１００の前面に構成されている。ディスプレイ２２は、例えば、ＥＬ（Electroluminescence）ディスプレイ、液晶ディスプレイ又はプラズマディスプレイ等の画像表示部であり、矩形に形成されている。
【００２８】
例えば、ディスプレイ部２０は、縦にＭ個、横にＮ個のディスプレイ２２が並んで構成されている。すなわち、ディスプレイ部２０は、（Ｍ×Ｎ）個のディスプレイ２２を含んでいる。
【００２９】
ディスプレイ部２０は、信号の入力・出力のインタフェースの役割をなす接続部３０に接続されている。各ディスプレイ２２は個別に接続部３０に接続されている。なお、ディスプレイ部２０は、一のディスプレイ２２が接続部３０に接続され、複数のディスプレイ２２，２２，…が順繰りに接続されたデイジーチェーンにより接続部３０に接続された形態であってもよい。
【００３０】
各ディスプレイ２２は、画像が表示される表示面を覆うようにタッチパネル２１が設けられている。タッチパネル２１はユーザのタッチ操作によりディスプレイ２２の表示面上における所定位置を検出することができる。例えば、タッチパネル２１はユーザの指先のタッチ操作による圧力の変化を検知し、又は静電気による電気信号を検知して、ユーザの指先の接触位置に対応するディスプレイ２２の表示面上の座標を検出し、該座標を特定する信号を発生する。
【００３１】
枠体２３には、一又は複数のディスプレイ２２が揺動可能に取り付けられている。より詳しくは、揺動可能に取り付けられた一又は複数のディスプレイ２２は、ディスプレイ部２０の表示面の前面側から背面側、又は背面側から前面側への移動が出来るように、いわゆる揺動が出来るように構成されている。斯かるディスプレイ２２の揺動によって、マルチディスプレイ装置１００の前面側及び背面側を連絡する連絡口が形成される。換言すれば、これらディスプレイ２２は、マルチディスプレイ装置１００の前面側及び背面側の間の扉の役割をなしている。以下においては、このように扉の役割をなす一又は複数のディスプレイ２２を扉ディスプレイ２２Ａと称する。
【００３２】
扉ディスプレイ２２Ａは、制御部１０によってその開閉（移動）が制御できるように構成されている。このような扉ディスプレイ２２Ａの枠体２３への取り付け方は、蝶番を用いるものであってよく、その他、公知の技術を用いるものであっても良い。
【００３３】
なお、以上においては、扉ディスプレイ２２Ａがディスプレイ部２０の表示面の表裏方向に揺動するように構成されている場合を例として説明したがこれに限るものでなく、ディスプレイ部２０の表示面に沿って摺動するように構成しても良い。
【００３４】
更に、枠体２３及び扉ディスプレイ２２Ａの間には公知の開閉センサ（図示せず）が設けられている。すなわち、制御部１０は前記開閉センサを監視することによって、扉ディスプレイ２２Ａが開状態であるか否かを判定できるように構成されている。
【００３５】
本発明の実施の形態のマルチディスプレイ装置１００においては、入力部４０を介して、ディスプレイ部２０に表示すべき画像の画像データが入力され、該画像データに基づき所定画像がディスプレイ部２０に表示される。
【００３６】
斯かる際、スケーリング部５０は、当該画像データが表す画像の大きさを調整し、表示割当部６０は、大きさを調整した画像を表示させるディスプレイ２２を切り替える。
【００３７】
例えば、ディスプレイ２２の解像度が縦Ａ及び横Ｂである場合に、スケーリング部５０は、画像の解像度が縦（Ａ×Ｍ）及び横（Ｂ×Ｎ）になるように画像をスケーリングし、スケーリングした画像を（Ｍ×Ｎ）個の画像に分割する処理を行う。
【００３８】
表示割当部６０は、接続部３０に接続された（Ｍ×Ｎ）個のディスプレイ２２の夫々に（Ｍ×Ｎ）個の画像のいずれかを表示させる処理を行う。解像度が縦（Ａ×Ｍ）及び横（Ｂ×Ｎ）になるようにスケーリングされた画像の一部である（Ｍ×Ｎ）個の画像の夫々を各ディスプレイ２２が表示する。すなわち、ディスプレイ部２０は、（Ｍ×Ｎ）個のディスプレイ２２を用いて、各ディスプレイ２２よりも縦にＭ倍及び横にＮ倍大きい画像を表示する。このようにして、ディスプレイ部２０は、各ディスプレイ２２よりも大きな画像を表示する。
【００３９】
記憶部７０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。記憶部７０には、扉ディスプレイ２２Ａの位置を表す位置情報、後述するユーザメニュ画面及び把手ソフトキーを表示するための画像データ等が記憶されている。
【００４０】
図３は本発明の実施の形態のマルチディスプレイ装置１００における、制御部１０の要部構成を示す機能ブロック図である。制御部１０は、ＣＰＵ１１と、ＲＯＭ１２と、ＲＡＭ１３と、位置情報表示部１４と、選択受付部１５と、開閉指示受付部１６と、電源制御部１７とを有している。
【００４１】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００４２】
ＣＰＵ１１は、ＲＯＭ１２に予め格納されている制御プログラムをＲＡＭ１３上にロードして実行することによって、上述した各種ハードウェアの制御を行ない、装置全体を本発明のマルチディスプレイ装置１００として動作させる。また、ＣＰＵ１１は、ディスプレイ部２０のタッチパネル２１を介して、ユーザから所定の指示を受け付ける。    
【００４３】
例えば、ディスプレイ２２に表示された前記ユーザメニュ画面に設けられた何れかのソフトキーにユーザが指先を触れた場合、タッチパネル２１は、タッチされた点の位置を検出し、この点の座標を特定する信号を制御部１０に送出する。
【００４４】
ＣＰＵ１１は、タッチパネル２１から前記信号（座標）を取得して、前記ユーザメニュ画面のソフトキーの中、該座標に対応する位置のソフトキーが操作され、該ソフトキーに係る指示を受け付けたものと認識する。
【００４５】
図４は本発明の実施の形態のマルチディスプレイ装置１００において、ディスプレイ２２に表示されるユーザメニュ画面の一例を示す例示図である。本発明の実施の形態のマルチディスプレイ装置１００においては、ユーザが複数のディスプレイ２２の中、何れかをタッチ操作した場合、当該ディスプレイ２２に前記ユーザメニュ画面が表示されるように構成してもよい。
【００４６】
当該ユーザメニュ画面には、「扉の位置を表示する」ソフトキーと、「扉を選択する」ソフトキーと、「扉を開ける」ソフトキーと、「扉を閉める」ソフトキーとが設けられている。
【００４７】
「扉の位置を表示する」ソフトキーは、複数のディスプレイ２２の中、何れが扉ディスプレイ２２Ａであるかを表す扉ディスプレイ２２Ａの位置情報を表示する指示をユーザから受け付けるためのソフトキーである。
【００４８】
「扉を選択する」ソフトキーは、扉ディスプレイ２２Ａが複数である場合、開すべき又は閉すべき扉ディスプレイ２２Ａの選択をユーザから受け付けるためのソフトキーである。
【００４９】
「扉を開ける」ソフトキーは、ユーザによって選択された扉ディスプレイ２２Ａを開ける指示を受け付けるためのソフトキーであり、「扉を閉める」ソフトキーは、ユーザによって選択された扉ディスプレイ２２Ａを閉める指示を受け付けるためのソフトキーである。
【００５０】
ユーザは、前記ユーザメニュ画面の何れかのソフトキーを必要に応じてタッチして所定の指示を行なう。斯かる際、タッチパネル２１から送信される信号に基づき、所定の指示が受け付けられる。
【００５１】
例えば、ＣＰＵ１１は「扉の位置を表示する」ソフトキーを介して、扉ディスプレイ２２Ａの位置を表す位置情報を表示する指示を受け付ける。ＣＰＵ１１が斯かる指示を受け付けた場合、位置情報表示部１４は、複数のディスプレイ２２の中で扉ディスプレイ２２Ａは何れかの位置情報を表示する。例えば、位置情報表示部１４は扉ディスプレイ２２Ａの表示面を点滅させ、又は該扉ディスプレイ２２Ａを開閉する把手の役割をなすソフトキーを該扉ディスプレイ２２Ａに表示させる等によって、ユーザに扉ディスプレイ２２Ａの位置情報を表示する。
【００５２】
図５は本発明の実施の形態のマルチディスプレイ装置１００において、把手の役割をなすソフトキーを扉ディスプレイ２２Ａに表示した例を示す例示図である。２つのディスプレイ２２に、「開」及び「閉」の文字が書かれたソフトキーが表示されており、これによって、これらディスプレイ２２が扉ディスプレイ２２Ａであることをユーザは認識できる。
【００５３】
また、選択受付部１５は、「扉を選択する」ソフトキーを介して、開すべき又は閉すべき扉ディスプレイ２２Ａの選択を受け付ける。例えば、ユーザは前記２つの扉ディスプレイ２２Ａの中、何れかをタッチすることによって選択を行い、これによって、選択受付部１５は何れかの扉ディスプレイ２２Ａの選択を受け付ける。
【００５４】
開閉指示受付部１６は、「扉を開ける」ソフトキーを介して選択された扉ディスプレイ２２Ａを開ける指示を受け付け、「扉を閉める」ソフトキーを介して選択された扉ディスプレイ２２Ａを閉める指示を受け付ける。
【００５５】
例えば、開閉指示受付部１６が「扉を開ける」ソフトキーを介して、ユーザによって選択された扉ディスプレイ２２Ａを開ける指示を受け付けた場合、ＣＰＵ１１は、当該扉ディスプレイ２２Ａを制御して開ける。
【００５６】
図６は本発明の実施の形態のマルチディスプレイ装置１００において、扉ディスプレイ２２Ａが開けられた状態を示す例示図である。このように、扉ディスプレイ２２Ａが開けられた場合、マルチディスプレイ装置１００の前面側と背面側とを連絡する連絡口２４が形成される。従って、ユーザは、マルチディスプレイ装置１００の前面側から背面側へ、又は背面側から前面側へ出入り出来る。
【００５７】
電源制御部１７は、所定条件に基づき、各ディスプレイ２２への電源の供給をオンオフする制御を行なう。
具体的には、図６に示したように、扉ディスプレイ２２Ａが開けられている場合、現在、扉ディスプレイ２２Ａが開状態である旨が前記開閉センサから電源制御部１７に通知される。前記開閉サンサからの通知に応じて、電源制御部１７は現在開状態である扉ディスプレイ２２Ａへの電源の供給をオフにする。
【００５８】
なお、上述した位置情報表示部１４、選択受付部１５、開閉指示受付部１６及び電源制御部１７は、ハードウェアロジックによって構成してもよいし、ＣＰＵ１１が所定のプログラムを実行することにより、ソフトウェア的に構築されてもよい。
【００５９】
本発明の実施の形態のマルチディスプレイ装置１００は、以上の記載に限るものでなく、ユーザが扉ディスプレイ２２Ａをタッチする操作を行なった場合、該扉ディスプレイ２２Ａを開閉するためのソフトキーが、該扉ディスプレイ２２Ａに表示されるように構成しても良い。
【００６０】
また、斯かるソフトキーは、該扉ディスプレイ２２Ａを開閉するソフトキーである旨を示す文字、絵文字、図形を含むものであれば良い。
【符号の説明】
【００６１】
１００  マルチディスプレイ装置（表示装置）
２２Ａ  扉ディスプレイ（移動可能な表示器）
１４  位置情報表示部（情報表示手段）
１５  選択受付部（選択受付手段）
１６  開閉指示受付部（指示受付手段）
１７  電源制御部（電源制御手段）
１１  ＣＰＵ
２２  ディスプレイ（表示器）
２４  連絡口
【図１】
2013186343.tif 000003
【図２】
2013186343.tif 000004
【図３】
2013186343.tif 000005
【図４】
2013186343.tif 000006
【図５】
2013186343.tif 000007
【図６】
2013186343.tif 000008